(57)【要約】      （修正有）【課題】遊技盤の製造工程を簡素化、効率化、コストの低減を図る。【解決手段】遊技盤は、成形マット２を遊技板の表面側に固着し、固定突起４を成形マット２の表面側に一体成形し、調整突起としての天入賞口調整突起５、ワープ入口調整突起６、左入賞口調整突起７、右入賞口調整突起８および始動入賞装置調整突起９を、インサート成形により成形マット２の表面側に一体成形したものである。成形マット２の表面側には、遊技球を誘導可能な多数の固定突起４が一体的に成形され、全部または一部を一体成形により形成することができるし、固定突起４の一部（少数）を植設（インサート成形または打込み）とすることもできる。【選択図】図２
2008168140.tif 000002
【特許請求の範囲】
【請求項１】
角度調整が不要であって遊技球を誘導可能な固定突起を一体成形するための複数の固定突起形成穴と、叩打による角度調整が可能であって遊技球を誘導可能な調整突起を挿入するための調整突起挿入穴と、遊技装置を配設可能な貫設穴を成形するための形成部と、が設けられ、前記固定突起形成穴と前記調整突起挿入穴とを同一型側に形成した遊技板成形型を製造する遊技板成形型製造工程と、
前記マット成形型内の調整突起挿入穴に、前記調整突起を挿入する調整突起挿入工程と、
前記遊技板成形型内に樹脂成形材料を充填して、前記固定突起を遊技板と一体成形するのと同時に前記調整突起を前記遊技板にインサート成形し、前記固定突起及び前記調整突起を前記遊技板の表面側に突出させて成形する遊技板成形工程と、
を少なくとも備えたことを特徴とする弾球遊技機の遊技盤の製造方法。
【請求項２】
前記固定突起を成形した後に、別の固定突起を遊技板に植設する固定突起植設工程を含み構成されたことを特徴とする請求項１に記載の弾球遊技機の遊技盤の製造方法。
【発明の詳細な説明】
【技術分野】
【０００１】
本発明は、弾球遊技機に関し、特にその遊技盤および遊技盤の製造方法に特徴を有するものである。
【背景技術】
【０００２】
従来の弾球遊技機の遊技盤（ベニヤ板製）の製造工程は、遊技盤と同形状のセルロイド板（以下、セル板と略す）にデザイン画を印刷し、ベニヤ板を加工して形成した遊技盤にセル板を接着剤等を用いて圧着機で接着し、ＮＣルータを用いて遊技盤に役物取付穴を貫設し、遊技盤表面側に多数の誘導釘を釘打機で一本ずつ打ち込み、遊技盤に役物を取り付けるのが一般的である。例えば、第一種パチンコ機（いわゆるフィーバー機）の釘打ち工程においては、可変表示装置の大きさや配置される役物等の大きさによって誘導釘の数は異なるものであるが、通常は、遊技盤に２３０本程度の誘導釘が打込まれている。この数の誘導釘を自動釘打機で１枚の遊技盤に打ち込むのに３〜４分の時間を要するのが現状である。また、当然ながらこれらの誘導釘の本数および打込み箇所は遊技機の機種毎、詳しくは第一種パチンコ遊技機(いわゆるフィーバー機)、第二種パチンコ遊技機（いわゆる羽根物）、第三種パチンコ遊技機(いわゆる権利物)、アレンジボール遊技機（いわゆるアレパチ）等によって異なる。一方、遊技店においては、前述した複数の誘導釘の一部、主に入球口の直上付近の誘導釘等が調整釘に該当し、前述した第一種パチンコ機においての調整釘は数十本程度（入球口の数等にもよるが２０〜３０本程度）であるが、それらの角度を変化させる等して入球率の調整が行われているのが一般的である。
ところが、調整釘、調整釘以外のいわゆる固定釘の種別に拘わらず、全ての誘導釘が一律に打込まれているので、生産工程が複雑化し、生産効率が低下する欠点がある。また、１枚の遊技盤に打込まれる誘導釘の数が多いので、１枚の遊技盤に全ての多数の釘を打ち込むのに時間が掛るという遊技盤製造工程における作業効率上の不都合や、大量に生産する場合には、釘打機等の設備が多数必要となるというコスト上の不都合がある（特許文献１）。
【０００３】
【特許文献１】特開平０９−７５５２６
【発明の開示】
【発明が解決しようとする課題】
【０００４】
そこで、本発明の課題は、遊技盤の製造工程を簡素化、効率化、コストの低減を図ることである。
【課題を解決するための手段】
【０００５】
上記課題に鑑み請求項１記載の発明はなされたものであり、角度調整が不要であって遊技球を誘導可能な固定突起を一体成形するための複数の固定突起形成穴と、叩打による角度調整が可能であって遊技球を誘導可能な調整突起を挿入するための調整突起挿入穴と、遊技装置を配設可能な貫設穴を成形するための形成部と、が設けられ、前記固定突起形成穴と前記調整突起挿入穴とを同一型側に形成した遊技板成形型を製造する遊技板成形型製造工程と、前記マット成形型内の調整突起挿入穴に、前記調整突起を挿入する調整突起挿入工程と、前記遊技板成形型内に樹脂成形材料を充填して、前記固定突起を遊技板と一体成形するのと同時に前記調整突起を前記遊技板にインサート成形し、前記固定突起及び前記調整突起を前記遊技板の表面側に突出させて成形する遊技板成形工程と、を少なくとも備えたことを特徴とする弾球遊技機の遊技盤の製造方法である。
こうした構成により、従来の釘打機による釘打作業を効率化、低コスト化することにより、遊技盤の製造工程における不都合を解消できるのである。しかも、固定突起が標準化される一方、調整突起を設けたことにより、入球率の調整機能を損なうことが無い。一具体例としては、第七実施形態の具体例２およびその変形例が挙げられる（図１８〜図２０参照）。
【０００６】
請求項２に記載の発明は、前記固定突起を成形した後に、別の固定突起を遊技板に植設する固定突起植設工程を含み構成されたことを特徴とする請求項１に記載の弾球遊技機の遊技盤の製造方法である。
【０００７】
ここにいう遊技装置とは、前記遊技盤の表面側に配設される、入球装置、可変表示装置、ランプ風車、サイドランプ、大入賞装置等が例示される。弾球遊技機の機種ごとに対応させて適宜の構成を採択することが可能である。また、ここにいう第１貫設穴は、前記遊技装置を配設する際に必要となる貫設穴であれば良く、例えば、前述した入球装置の場合には入球口が該当し、可変表示装置の場合には表示窓が該当する。また、前記遊技盤には、その表面側に釘やネジ等で固定される周知のピン風車、球通過ゲート等のように、配設の際に貫設穴を必要としない遊技部材や単なる入球口（球受口）のように遊技盤に前記入球口に対応する入球穴（貫設穴）のみを必要とし、前記遊技盤表面側にビス等で固定される遊技部材等が設けられていてもよい。
ここにいう固定突起は、その角度を変化させる等の調整、すなわち、遊技球の進路を変化させる必要の無い突起であり、これらの固定突起は調整しなくても遊技にそれ程影響はない。固定突起は、成型の関係から、直棒状で頭部の無い形状が好ましい。
【０００８】
一方、調整突起は、その角度を変化させる等の調整の必要のある突起であり、例えば、入球口直上付近の突起は調整具合によっては入球率が変化し、遊技に直接影響するものである。この調整突起は、ハンマー等で叩打して調整される関係上、金属製が好ましく、従来の誘導釘と同様に真鍮製釘が好ましい。調整突起の植設がインサート成形による場合には、頭部の無い直棒状の形状が好ましく、打込みによる場合には、従来の誘導釘と同様に頭部のある真鍮製釘が好ましい。しかし、これらに限定されるわけではない。この調整突起は、遊技板の表面側に設けられる成形マットに植設しても良いし、成形マットを介在させて遊技板に植設しても良い。さらに、成形マットに調整突起植設穴を設け（貫設穴、非貫設穴を問わない）、この調整突起植設穴を介して前記調整突起を遊技板に植設しても良い。なお、調整突起は、成形マットの成形と同時にインサート成形等により植設することが好適であるが、その他、成形マットを成形した後で、その成形マットに叩打等により植設しても良く、種々なる態様が実施可能である。
【０００９】
さらに、前記遊技板に前記成形マットを嵌合固着させるための凹面を設けることが好適であるが、限定されるわけではなく成形マットを薄型とすることも可能である。前記の凹面を設けることにより、前記成形マットの表面側と、前記遊技板の表面とが連続し、遊技球が支障が無く誘導される利点がある。なお、前記成形マットを前記遊技板に接着剤で固定しても良いし、成形マットの裏側に複数のピンを植設して叩打して固着しても良く、種々なる固着態様が可能である。なお、成型マットの材料は、樹脂が好ましく、特にゴム、プラスチックが好ましいが、限定されるわけではない。
また、ここにいう調整突起挿入穴は、調整突起が挿入可能なものであれば良い。また、樹脂成形材料は、プラスチック、硬質ゴムが代表的であるが、限定されるものではない。調整突起は成形時の成型材料の熱で溶融したり変形しないもの、例えば、成型材料と異なる材質である金属製、特に真鍮製のものが好適であるが、セラミック等の他の材質でも採択が可能である。
【００１０】
他の発明１は、複数の遊技装置の配設に対応する複数の第１貫設穴が貫設された遊技板と、表面側に一体成形され、遊技球を誘導可能な複数の固定突起と、前記第１貫設穴に対応して貫設された第２貫設穴とを備え、前記遊技板の表面側に固着された成形マットと、前記成形マットの表面側に植設され、遊技球を誘導可能な複数の調整突起と、を少なくとも備えたことを特徴とする弾球遊技機の遊技盤である。また、一具体例としては、第一実施形態の具体例１およびその変形例が挙げられる（図１ないし４参照）。
【００１１】
他の発明２は、前記成形マットは、プラスチックまたはゴムからなることを特徴とする他の発明１に記載の弾球遊技機の遊技盤である。これにより、他の発明１と同様の課題を解決できる。
なお、前記プラスチックは、材質を問わない。前記ゴムは硬質軟質を問わないが一般的には硬質ゴムが好適である。ここで、前記遊技板の材質は問わないが、木材板（ベニヤ板等）、樹脂（プラスチック、硬質ゴム等）など、種々なる材質が採用可能である。
他の発明１は、成形マットを遊技板に固着し合体させて遊技盤としたものであるが、これらを必ずしも合体させる必要はなく、製造工程を簡素化して初めから遊技板を一体成形する発明も成立する。
【００１２】
すなわち他の発明３は、複数の遊技装置の配設に対応する複数の貫設穴とを備えた遊技板と、前記遊技板の表面側に一体成形され、遊技球を誘導可能な複数の固定突起と、前記遊技板の表面側に植設され、遊技球を誘導可能な複数の調整突起と、を少なくとも備えたことを特徴とする弾球遊技機の遊技盤である。これにより前述の他の発明１に記載の発明と同様の課題を解決できる上、遊技盤の製造工程が一層簡素化されている。
なお、遊技装置、貫設穴、固定突起、調整突起についての字句の解釈は、他の発明１での解釈を参照されたい。前記遊技板の表面側に植設される調整突起は、インサート成形、釘打機、手打ちを問わない。手打ちにより後から調整突起を植設する場合には、前記遊技板（正確にはその上にセル板が圧着されるのでセル板表面）に調整突起植設穴を設け（非貫設穴が好ましい）、この調整突起植設穴から前記調整突起を遊技板に植設しても良い。調整突起植設穴に替えて、目印を設けても良い。なお、調整突起は、遊技板に打込むことにより植設しても良いし、インサート成形等により植設しても良いことは前述した他の発明１と同様である。一具体例としては、第一実施形態の具体例２及びその変形例が挙げられる（図６及び図７参照）。
【００１３】
他の発明４は、前記遊技板は、プラスチックまたはゴムからなることを特徴とする他の発明３に記載の弾球遊技機の遊技盤である。これにより前述の他の発明３と同様の課題を解決できる。
【００１４】
他の発明５は、遊技球を誘導可能な複数の固定突起と、複数の遊技装置を配設可能な複数の第１貫設穴と、に対応する形状とされ、かつ、調整突起挿入穴が前記固定突起と同一側に配置されたマット成形型を設けるマット成形型製造工程と、前記マット成形型内の調整突起挿入穴に、調整突起を挿入する調整突起挿入工程と、前記マット成形型内に樹脂成形材料を充填してマットを一体成形するマット成形工程と、前記第１貫設穴に対応する第２貫設穴を備える遊技板を成形する遊技板成形工程と、前記マット成形工程において成形されたマットを、前記遊技板成形工程において成形された前記遊技板の表面側に固着させる成形マット固着工程と、を少なくとも備えたことを特徴とする弾球遊技機の遊技盤の製造方法である。これにより前述の課題が解決できる。字句の解釈は他の発明１を参照されたい。一具体例としては、第七実施形態の具体例１（図１４および図１５参照）およびその変形例（図１６および図１７参照）が挙げられる。また、ここにいう調整突起挿入穴は、調整突起が挿入可能なものであれば良い。また、樹脂成形材料は、プラスチック、硬質ゴムが代表的であるが、限定されるものではない。調整突起は成形時の成型材料の熱で溶融したり変形しないもの、例えば、成型材料と異なる材質である金属製、特に真鍮製のものが好適であるが、セラミック等の他の材質でも採択が可能である。
【００１５】
他の発明６は、遊技球を誘導可能な複数の固定突起と、複数の遊技装置を配設可能な複数の貫設穴と、に対応する形状とされ、かつ、調整突起挿入穴が前記固定突起と同一側に配置された遊技板成形型を設ける遊技板成形型製造工程と、前記遊技板成形型内の前記調整突起挿入穴に前記調整突起を挿入する調整突起挿入工程と、前記遊技板成形型内に樹脂成形材料を充填して遊技盤を一体成形する遊技板成形工程と、を少なくとも備えたことを特徴とする弾球遊技機の遊技盤の製造方法である。これにより前述の課題が解決できる。字句の解釈等は他の発明５を参照されたい。一具体例としては、第七実施形態の具体例２およびその変形例が挙げられる（図１８〜図２０参照）。
【００１６】
他の発明７は、前記固定突起は、前記成形された固定突起と、前記遊技板に植設された非成形突起を含み構成されたことを特徴とする他の発明１ないし４のいずれかに記載の弾球遊技機の遊技盤である。これにより、他の発明１ないし４の課題達成に加えて、標準化できる固定突起の数が少ない場合等の状況において、固定突起の一部を標準化することにより、遊技装置や標準化されていない固定突起の位置を変更することを可能とし、ゲーム性を変化させることができる。遊技機の新タイプを製造する場合、すべての固定突起の位置を変更すれば、成形型もその都度必要となるが、すべての固定突起の位置を変更しなくても良い場合もある。この場合には、固定突起の一部を標準化した上で他の固定突起を非標準化すれば、同じ成形型で新タイプの遊技機を製造することができる。例えば、遊技装置取付け用貫設穴は共通で、調整突起の位置も共通であっても、遊技装置を変更する場合もある。その場合には、それに伴い位置を変更しなければならない一部の固定突起を予め非成形とすれば、前述した遊技装置の変更に容易に対処することができるのである。
【００１７】
他の発明８は、前記固定突起を成形した後に、別の固定突起を遊技板に植設する固定突起植設工程を含み構成されたことを特徴とする他の発明５または６に記載の弾球遊技機の遊技盤の製造方法である。これにより他の発明７と同様の課題が達成できる。
【発明の効果】
【００１８】
請求項１に記載の発明によれば、固定突起が遊技板に一体成形されているので、植設される調整突起の本数を減らすことができ、生産工程を簡素化することができる。作業速度も向上するので、釘打機等の設備が少なくて済み、コスト上の利益が大きい。パチンコ遊技機の機種ごとに固定突起を標準化（共通化）することができ、設計作業や製造工程の簡素化を図ることができる。しかも、固定突起が標準化される一方、調整突起を設けたことにより、入球率の調整機能を損なうことが無いという優れた効果がある。従来の金属製の釘に比べ美観が向上する。特に固定突起を着色材料を使用して成形すれば、多彩な色彩感覚を提供でき、美観が著しく向上する。
また請求項２に記載の発明により、遊技装置等の変更にも対処できる効果がある。
【発明を実施するための最良の形態】
【００１９】
本発明の第一実施形態の具体例１である遊技盤１を図１ないし図３を参照して説明する。遊技盤１は第一種（所謂フィーバー機）と呼ばれる弾球遊技機としてのパチンコ遊技機（全体図は図示略）に適用されたものである。この遊技盤１は、図１に示す通り、図２の成形マット２を図３の遊技板３の表面側に固着し（固着態様については後述する）、固定突起４を成形マット２の表面側に一体成形し、調整突起としての天入賞口調整突起５、ワープ入口調整突起６、左入賞口調整突起７、右入賞口調整突起８および始動入賞装置調整突起９（図１の点線で囲まれた領域参照）を、インサート成形により成形マット２の表面側に一体成形したものである（詳しくは後述する）。図２に示す通り、成形マット２の表面側には、遊技球を誘導可能な多数の固定突起４が一体的に成形され、固定突起４は成形マット２の裏面側には設けられていないのである。これら多数の固定突起４は、具体例１では天入賞口調整突起５ないし始動入賞装置調整突起９以外のすべての突起であり、全部または一部を一体成形により形成することができる。つまり固定突起４の一部（少数）を植設（インサート成形または打込み）とすることもできる。これについては後述する。これらの固定突起４は、直棒状、細径で頭部の無いものであり、成形マット２の表面とほぼ直交して固定されている。固定突起４は、その角度を変化させる等の調整、すなわち、遊技球の進路を変化させる必要の無い突起であり、これらの固定突起４は調整しなくても遊技にそれ程影響はないものである。これらの固定突起４により、機種（各機種の各タイプも含む）毎の誘導突起を標準化（共通化）して成形することが可能となる等種々の利点が生じる。固定突起４と、天入賞口調整突起５ないし始動入賞装置調整突起９とを併せて全体として、誘導突起と呼ぶ。なお、成形マット２の材質は、好ましくはゴム、特に好ましくは硬質ゴムが挙げられる。成形マット２に形成された固定突起４が遊技球を支障なく誘導できる硬さであれば成形マット２の種類に限定はなく、プラスチック製、特に低発泡性プラスチックが好適である。
【００２０】
図２に示す通り、成形マット２の薄板２０の中央部には大きなセンター役物取付穴１１Ｈ、その上側両側に一対のランプ風車取付穴１２Ｈ、その下側に一対の球誘導役物取付穴１３Ｈ、左右端部に一対のサイドランプ取付穴１４Ｈ、センター役物取付穴１１Ｈの下方に始動入賞装置取付穴１５Ｈ、その左右両側に入賞口取付穴１６Ｈ、始動入賞装置取付穴１５Ｈの下方には横長の大入賞装置取付穴１７Ｈ、最下部にアウト穴１８Ｈが各々貫設されているものである。これらは他の発明１の第２貫設穴に対応するものである。これらは後述する複数の遊技装置（可変表示装置３８等）を嵌合し固定するためのものである。さらに薄板２０の左上端部には誘導レール用段部２１が設けられ、中央に横断的に４個の小径のピン風車取付穴２２が貫設されている。
【００２１】
また、成形マット２に植設され遊技球を誘導可能な天入賞口調整突起５ないし始動入賞装置調整突起９は、その角度を変化させる等の調整の必要のある突起であり、例えば、入球口直上付近の突起は調整具合によっては入球率が変化し、遊技に直接影響するものである。この天入賞口調整突起５ないし始動入賞装置調整突起９は、ハンマー等で叩打して調整される関係上、金属製が好ましく、従来の誘導釘と同様に真鍮製が好ましいが、他の材質も可能である。インサート成形の際、成形型から離脱可能とするためには、天入賞口調整突起５ないし始動入賞装置調整突起９は頭部の無い直棒状のものが好ましい。図１に示す通り、固定突起４と区別するため天入賞口調整突起５ないし始動入賞装置調整突起９が植設された領域は、点線で囲んで図示してある。前述の通り、図１および図２において天入賞口調整突起５ないし始動入賞装置調整突起９以外の突起はすべて固定突起４である。なお、必ずしも全部の固定突起４を成形マット２と一体成形とする必要はないことは前述の通りである。天入賞口調整突起５ないし始動入賞装置調整突起９の植設される場所は次の通りである。すなわち、図２に示す通り（図１も適宜参照されたい）、天入賞口調整突起５は、センター役物取付穴１１Ｈの上端部と、その上側に配設された固定突起４との間に２本横ならびに植設されている。ワープ入口調整突起６は、センター役物取付穴１１Ｈの左側端部と、その左側に配設された固定突起４の間に斜ならびに２本植設されている。左入賞口調整突起７は、左側の入賞口取付穴１６Ｈの上端部と、その上側に配設された固定突起４との間に三角形状に３本植設されている。同様に、右入賞口調整突起８は、右側の入賞口取付穴１６Ｈの上端部と、その上側に配設された固定突起４との間に三角形状に３本植設されている。始動入賞装置調整突起９は、センター役物取付穴１１Ｈの下端部と、その下部に配設された固定突起４との間に２本横並びで植設されている。
【００２２】
上述した天入賞口調整突起５ないし始動入賞装置調整突起９は、遊技店側で角度調整することや、製造工程等を考慮して、インサート成形により成形マット２に植設されたものである。成形マット２は硬質ゴム製であり、ベニヤ板や樹脂と比べ弾力性があるものの、インサート成形により、その角度調整に支障は生じないものと考えられる。
【００２３】
図３に示す通り、遊技板３はプラスチック板、ゴム板、ベニヤ板等の適宜な材質から適宜選択されて構成されており、その表面側には、成形マット２に適合した形状の嵌合凹面３０が形成されている。特に天入賞口調整突起５ないし始動入賞装置調整突起９が成形マット２を介して各遊技板３に打ち込まれる場合、遊技板３の材質は、これらを植設可能であり、かつ、こうして植設された天入賞口調整突起５ないし始動入賞装置調整突起９を角度調整しても支障のないものであれば種類に限定はないが、これらを植設するためには低発泡性プラスチックが好適である。低発泡性プラスチックの場合、嵌合凹面も同時形成できるし、突起としての釘を打ち込みやすい利点がある。この成形マット２の裏面に接着剤を塗布することにより、成形マット２が嵌合凹面３０に嵌合固着されている（図１参照）。この接着剤に代えて成形マット２の裏面に複数の固定ピン６３（図１５（ａ）参照）を植設し、プレス機で成形マット２が遊技板３の嵌合凹面３０に固着されても良い。この場合において、成形マット２の厚みと、嵌合凹面３０の深さは同一とされ、成形マット２に対応した形状に嵌合凹面３０の形状が形成されている。したがって、成形マット２の表面と、表面３０ａ（嵌合凹面３０以外の表面）とが同一垂直面を構成していることから、それらの繋ぎ目がセル板１０を固着する際の障害となることはない。なお、成形マット２の厚み、嵌合凹面３０の深さは図示のものには限定されず、支障のない範囲において、適宜の厚みに設定することができる。
【００２４】
図３に示す通り、遊技板３の嵌合凹面３０の領域には、前述したセンター役物取付穴１１Ｈ、ランプ風車取付穴１２Ｈ、球誘導役物取付穴１３Ｈ、サイドランプ取付穴１４Ｈ、始動入賞装置取付穴１５Ｈ、入賞口取付穴１６Ｈ、大入賞装置取付穴１７Ｈ、アウト穴１８Ｈに各々対応した形状とされた、センター役物取付穴１１Ｔ、ランプ風車取付穴１２Ｔ、球誘導役物取付穴１３Ｔ、サイドランプ取付穴１４Ｔ、始動入賞装置取付穴１５Ｔ、入賞口取付穴１６Ｔ、大入賞装置取付穴１７Ｔ、アウト穴１８Ｔが、対応した位置に各々貫設されている。これらは他の発明１の第１貫設穴に該当する。また、これらは複数の遊技装置（後述）を嵌合し固定するためのものである。
【００２５】
遊技盤１の表面側には、図１に示す複数の遊技装置が固定されている。これらを図２および図３を参照しつつ説明する。まず、センター役物３１がセンター役物取付穴１１Ｈおよびセンター役物取付穴１１Ｔに嵌合され固定されている。センター役物３１は、周知の通り、中央部に貫設された表示窓３１ａと、左右に配設された左ワープ入口３１ｂ，右ワープ入口３１ｃと、これらからの誘導球を受け入れて下方に流下させるための、内壁の底面に配設したステージ３１ｄと、上側に配設した保留ランプ３１ｅと、その上側に配設した天入賞口３１ｆとを備えているものである。センター役物３１の裏側には、特別図柄を可変表示できる可変表示装置３８が設置されている。また、一対の左ランプ風車３２ａおよび右ランプ風車３２ｂが一対のランプ風車取付穴１２Ｈおよびランプ風車取付穴１２Ｔに各々嵌合され固定されている。一対の左球誘導役物３３ａおよび右球誘導役物３３ｂが一対の球誘導役物取付穴１３Ｈおよび球誘導役物取付穴１３Ｔに各々嵌合され固定されている。一対の左サイドランプ３４ａおよび右サイドランプ３４ｂが一対のサイドランプ取付穴１４Ｈおよびサイドランプ取付穴１４Ｔに各々嵌合され固定されている。始動入賞装置３５が、始動入賞装置取付穴１５Ｈおよび始動入賞装置取付穴１５Ｔに嵌合され固定されている。一対の左入賞口３６ａおよび右入賞口３６ｂが一対の入賞口取付穴１６Ｈおよび入賞口取付穴１６Ｔに各々嵌合され固定されている。大入賞装置３７が、大入賞装置取付穴１７Ｈおよび大入賞装置取付穴１７Ｔに嵌合され固定されている。この大入賞装置３７は、可変表示装置３８の特定表示態様の停止表示に起因して、その開閉板３７ａが開閉可能となっており、その下側には普通図柄表示装置３７ｂ、保留ランプ３７ｃが設置され、開閉板３７ａの両側には入球口３７ｄが一対設けられている。なお、アウト口３９はアウト穴１８Ｈおよびアウト穴１８Ｔにより構成されている。また、ピン風車４５がピン風車取付穴２２に各々打込まれている。
【００２６】
図１に示す通り、成形マット２は、その裏面から突出する、インサート成形で固着された固定ピン６３（図１５（ａ）参照）を、直接、遊技板３に打込むことにより、遊技板３に固定されている。また、球誘導レール４０は固定ピン（図示略）を直接遊技板３に打ち込むことにより固着されている。本具体例では球誘導レール４０は、成形マット２の外部に取り付けられている。
【００２７】
ここで、図２に記載の例では、成形マット２の成形時に同時に、固定突起４の一体成形と、天入賞口調整突起５ないし始動入賞装置調整突起９および固定ピン６３（図１５（ａ）参照）のインサート成形による植設とを行うものである。一方、これに代えて、図４に示す変形例である成形マット２’も可能である。すなわち、本変形例は、図５に示す通り、成形マット２’および固定突起４’の成形後、その後工程で、成形マット２’の遊技板３’への固着、セル板１０’の固着、天入賞口調整釘５’ないし始動入賞装置調整釘９’の植設を行うものである。また、前記セル板１０’には、センター役物取付穴１１Ｈ’ないしアウト穴１８Ｈ’（図４参照）に対応するが貫設穴８１’ないし８８’が貫設され、調整突起挿入穴２５’ないし２９’（図４参照）に対応して調整突起打込穴５５’ないし５９’が貫設され、成形された固定突起４’（図４参照）に対応する固定突起貫通穴６４’が多数貫設されている。その後、遊技装置を取付けると図１に示す遊技盤１’となる。上述した天入賞口調整釘５’ないし始動入賞装置調整釘９’の各々は、遊技店側で角度調整することを考慮して、頭部のあるものであり、天入賞口調整釘打込穴２５’ないし始動入賞装置調整釘打込穴２９’（図４参照）の各々に叩打されることにより遊技板３’（図５参照）に植設されている。天入賞口調整釘打込穴２５’ないし始動入賞装置調整釘打込穴２９’は貫設穴でも非貫設穴でも構わない。こうした天入賞口調整釘打込穴２５’ないし始動入賞装置調整釘打込穴２９’を設けたのは、成形マット２’は硬質ゴム製であってもベニヤ板や樹脂と比べ弾力性があるので、これらの天入賞口調整釘５’ないし始動入賞装置調整釘９’を、成形マット２’を介在させて遊技板３’に打込んだ場合、その打込み作業が難しいと考えられるためである。この場合において、図４の成形マット２’が固着されるべき遊技板３’（図５参照）は、遊技板３（図３参照）と同一のものが適用される。したがって、遊技盤１’は遊技盤１（図１参照）とは、外観は同様のものとなる。この天入賞口調整釘５’ないし始動入賞装置調整釘９’は、ハンマー等で叩打して調整される関係上、金属製が好ましく、従来の誘導釘と同様に頭部のある直棒状で頭部のある真鍮製釘が特に好ましい。しかし、他の材質も可能である。なお、図４においては、図２に対応する構成要素は同一番号にダッシュを付してある。なお、インサート成形等の詳細は製造方法のところで後述する。
【００２８】
以上述べた図１ないし図３の具体例１、図４および図５に示すその変形例は、成形マット２と遊技板３（成形マット２’と遊技板３’も同様）の２つの部品からなるものであり、成形マット２を遊技板３の表面側に固着するものである。その他に、これらに代えて、初めから成形マット２を必要としないものがある。すなわち、図６に示す具体例２の遊技板１０３は、前述の図２および図３に示す具体例１に対応するものである。また図７および図８に示す具体例２の変形例の遊技板１０３’は、前述の図４および図５に示す具体例１の変形例に対応するものである。これらは遊技板１０３、１０３’を初めから一体的に構成することを基本とするものである。この場合は、具体例１および変形例の成形マット２,２’、嵌合凹面３０は不要となる。また図６の具体例２の構成部品については、図１ないし図３に示す具体例１の対応番号に１００番台を付加した番号とし説明は省略する。また図７の具体例２の変形例の構成部品については、図１ないし図４に対応する番号に１００番台のダッシュを付加した番号とし説明は省略する。そして、図６に示す具体例２にセル板（図示略）、前述した複数の遊技装置等を取付ければ、図１に示す遊技盤１と同様な構成の遊技盤１０１となる。また図８に示す通り、セル板１１０’には、センター役物取付穴１１１’ないしアウト穴１１８’（図７参照）に対応するが貫設穴１８１’ないし１８８’貫設され、調整突起打込マーク１２５’ないし１２９’（図７参照）に対応して調整突起打込穴１５５’ないし１５９’が貫設され、成形された固定突起４’（図７参照）に対応する固定突起貫通穴１６４’が多数貫設されている。そして具体例２の変形例にセル板１１０’を固着し調整釘１０５’ないし１０９’を植設し（図８参照）、複数の遊技装置等（可変表示装置３８等）を取付ければ、図１に示す遊技盤１と同様な構成の遊技盤１０１’となる。また、具体例２および変形例の効果は、具体例１の効果とほぼ共通するが、構造が簡素化されていることが異なる。
【００２９】
要するに、図６に記載の具体例２の遊技板１０３では、遊技板１０３の成形時に同時に固定突起１０４の一体成形と、天入賞口調整突起１０５ないし始動入賞装置調整突起１０９のインサート成形による植設を行うものである。一方、図７に示す通りの変形例である遊技板１０３’は、遊技板１０３’および固定突起１０４’の成形後、後工程で、手打ちの場合には、調整突起打込マーク１２５’ないし１２９’（窪みでも良い）を識別標識として、機械打ちの場合には、それら識別標識を不要として、天入賞口調整釘１０５’ないし始動入賞装置調整突起１０９の植設を行うものである。なお、センター役物取付穴１１１、１１１’、ランプ風車取付穴１１２、１１２’、球誘導役物取付穴１１３、１１３’、サイドランプ取付穴１１４、１１４’、始動入賞装置取付穴１１５、１１５’、入賞口取付穴１１６、１１６’、大入賞装置取付穴１１７、１１７’、アウト穴１１８、１１８’は、具体例１と異なり各々１つの貫設穴である。これらは他の発明３の貫設穴に該当する。
【００３０】
なお、上述の実施形態では、固定突起４、４’、１０４、１０４’の全てを成形マット２、２’または遊技板１０３、１０３’と一体成形したが、これに限定されることなく、それらの一部を一体成形し、他は天入賞口調整突起５ないし始動入賞装置調整突起９、天入賞口調整釘５’ないし始動入賞装置調整釘９’、天入賞口調整突起１０５ないし入球装置調整突起１０９、天入賞口調整釘１０５’ないし入球装置調整突起１０９’等の調整突起と同様に植設（インサート成形または打込み構造）とすることも可能である。これにより標準化できる固定突起４等の数が少ない場合等において、固定突起４等の一部を標準化することにより、遊技装置や標準化されていない固定突起４等の位置を変更することを可能とし、ゲーム性を変化させることができる。すなわち、固定突起４等の一部を標準化した上で他の固定突起を非標準化（一体形成しないこと）すれば、同じ成形型で新タイプの遊技機を製造することができる。例えば、センター役物取付穴１１Ｈ等の貫設穴は共通で、天入賞口調整突起５等の位置も同一であって、遊技装置を変更する場合も考えられる。その場合には、それに伴い位置を変更しなければならないところの固定突起を予め非一体成形とすれば、前述した遊技装置の変更に容易に対処することができるのである。なお、成形マット２と遊技盤３の種類を１対１に対応させても良いが、１つの遊技板３に対して成形マット２を複数種類用意して、遊技装置の変更に簡単に対応させることもできる。
【００３１】
上述した具体例１、具体例２およびそれらの変形例を備えた第一種パチンコ遊技機の遊技内容は、図１に示す始動入賞装置３５に遊技球が入球すると、可変表示装置３８の図柄が変動停止し、停止した図柄が当り図柄であれば、開閉板３７ａを開放等を行う特別遊技状態となる。遊技内容の詳細は周知であるから説明は省略する。
【００３２】
以上説明した通りの構成によれば、具体例１および具体例２、それらの変形例には次の通りの優れた効果がある。
［１］固定突起４等が成形マット２等に一体成形されているので、誘導突起の植設作業が格段に低減され、生産工程を簡素化することができる。
［２］誘導突起植設工程のスピードも向上するので、従来使用されている釘打機等の設備が少なくて済み、コスト上の利益が大きい。
［３］パチンコ遊技機の機種ごとに誘導突起を標準化、すなわち誘導突起の多数を固定突起として一体成形で共通化することができ、遊技盤の設計作業や製造工程の簡素化を図ることができる。しかも誘導突起の一部を調整突起として残したことから、遊技装置の入球率等にも支障は生じない。
［４］従来の金属製の釘に比べ美観が向上する。特に固定突起４等を着色材料を使用して成形すれば、多彩な色彩感覚を提供でき、美観が著しく向上する。
【００３３】
前述の第一実施形態は第一種パチンコ遊技機に適用されたものであるが、他の種類のパチンコ遊技機にも適用され、各機種各タイプ毎に標準化された例も挙げられる。すなわち、パチンコ遊技機の主な他の機種の主なタイプの遊技盤に適用された第二実施形態ないし第六実施形態の構成および遊技内容を以下に説明する。ただし、第二実施形態ないし第六実施形態は、第一実施形態に準拠し、目的、構成、作用効果も同質であるが、適用される機種が異なるため、固定突起、調整突起、複数の遊技装置の種類や配置等が異なっている。したがって、以下の説明では、それらの相違について説明する。
【００３４】
図９に示す第二実施形態の遊技盤２０１は、第三種パチンコ遊技機（タイプ１）に適用されたものである。この遊技盤２０１の構成を簡単に説明すると、遊技盤２０１は成形マット２０２とセル板２１０とを遊技板２０３の表面側に固着したものである。成形マット２０２の中央やや上側には、開放ゲート２３１が配設され、その左右斜め上側には、一対の左ランプ風車２３２ａ，右ランプ風車２３２ｂが配設されている。右ランプ風車２３２ｂの下方には、第三種始動口２３３が配設されている。一対の左ランプ風車２３２ａ，右ランプ風車２３２ｂの中央には、始動入賞装置２３５が配設されている。遊技盤２０１の左右端部には、一対の左サイドランプ２３４ａ，右サイドランプ２３４ｂが配設されている。遊技盤２０１の下方には、左から順に左入球口２３６ａ，中入球口２３６ｂ，右入球口２３６ｃが配設されている。第三種始動口２３３の下側には、開閉板２３７ａを備えた大入賞装置２３７が配設されている。開放ゲート２３１の下方には、中央入球口２３６ｄが配設され、更にその下方には可変表示装置２３８が配設されている。遊技盤２０１の最下方には、アウト口２３９が穿孔されている。可変表示装置２３８の左右には、ピン風車２４５ａ，２４５ｂが配設されている。遊技盤２０１には球誘導レール２４０が配設されている。ピン風車２４５ａの左側には振分け装置２４１が配設されている。
【００３５】
図９に示す通り、成形マット２０２の表面側には多数の固定突起２０４が一体に成形されている。また、始動入賞装置調整突起２０５は、始動入賞装置２３５の上側に３本植設されている。開放ゲート調整突起２０６は、開放ゲート２３１の左上側に３本植設されている。入球口調整突起２０７は、中央入球口２３６ｄの上側に３本植設されている。左入球口調整突起２０８は、左入球口２３６ａの上側に３本植設されている。中入球口調整突起２０９は、中入球口２３６ｂの上側に３本植設されている。右入球口調整突起２１１は、右入球口２３６ｃの上側に３本植設されている。なお、これらが他の発明１、２、５の調整突起を構成する。
【００３６】
第二実施形態の遊技盤２０１を備えた第三種パチンコ遊技機（タイプ１）の遊技内容を説明する。開放ゲート２３１を遊技球が通過すると、始動入賞装置２３５が所定時間開放し、始動入賞装置２３５に遊技球が入球すると入球した遊技球は振分け装置２４１まで誘導されて保留され、遊技球が保留された時点で可変表示装置２３８の図柄が変動停止し、停止した図柄が当り図柄であれば保留されている遊技球は特別領域に導かれる。一方、停止した図柄が外れ図柄であった場合には普通領域に導かれる。そして、前述の特別領域に遊技球が入球すると特別遊技状態となり、その状態において第三種始動口２３３に遊技球が入球すると開閉板２３７ａが開放する。
【００３７】
図１０に示す第三実施形態の遊技盤３０１は、第三種パチンコ遊技機（タイプ２）に適用されたものである。この遊技盤３０１の構成を簡単に説明すると、遊技盤３０１は成形マット３０２とセル板３１０とを遊技板３０３の表面側に固着したものである。遊技盤３０１の中央部には、センター役物３３１が配設され、その左右斜め上側には、一対の左ランプ風車３３２ａ，右ランプ風車３３２ｂが配設されている。右ランプ風車３３２ｂの下方には、第三種始動口３３３が配設されている。遊技盤３０１の左右端部には、一対の左サイドランプ３３４ａ，右サイドランプ３３４ｂが配設されている。センター役物３３１の下側には、始動口３３５が配設されている。センター役物３３１の左側には左上入球口３３６ａ、その下側には左下入球口３３６ｂ、その斜め右下側には左入球口３３６ｃ、その反転位置には右入球口３３６ｄが各々配設されている。第三種始動口３３３の下側には開閉板３３７ａを有する大入賞装置３３７が配設されている。センター役物３３１の裏側には可変表示装置３３８が配設されている。遊技盤３０１の最下方には、アウト口３３９が穿孔されている。遊技盤３０１には球誘導レール３４０が配設されている。アウト口３３９の上側には開閉板３４１ａを有する振分け装置３４１が配設されている。その斜め左上には、球出口３４２が配設されている。センター役物３３１の下部左側にはピン風車３４５が植設されている。
【００３８】
図１０に示す通り、成形マット３０２の表面側には多数の固定突起３０４が一体に成形されている。また、天入賞口調整突起３０５は、センター役物３３１の上側にある天入賞口の上側に３本植設されている。左上入球口調整突起３０６は、左上入球口３３６ａの上側に３本植設されている。左下入球口調整突起３０７は、左下入球口３３６ｂの上側に３本植設されている。左入球口調整突起３０８は、左入球口３３６ｃの上側に３本植設されている。始動口調整突起３０９は、始動口３３５の上側に２本植設されている。右入球口調整突起３１１は、右入球口３３６ｄの上側に３本植設されている。第三種始動口調整突起３５５は、第三種始動口３３３の上側に３本植設されている。第三種始動口調整突起３５６は、第三種始動口調整突起３５５と第三種始動口３３３の中間に２本植設されている。振分け装置調整突起３５７は、振分け装置３４１の上側に５本、５角形状に植設されている。なお、これらが他の発明１、２、５の調整突起を構成する。
【００３９】
第三実施形態の遊技盤３０１を備えた第三種パチンコ遊技機（タイプ２）の遊技内容を説明する。始動口３３５に遊技球が入球すると可変表示装置３３８の図柄が変動停止し、停止した図柄が当り図柄であると、振分け装置３４１の開閉板３４１ａが開放する。そして、遊技球が振分け装置３４１内の特別領域に入球すると特別遊技状態となり、その状態において、第三種始動口３３３に遊技球が入球すると、大入賞装置３３７が開放する。なお、始動口３３５に入球した遊技球は球出口３４２から排出される。
【００４０】
図１１に示す第四実施形態の遊技盤４０１は、第三種パチンコ遊技機（タイプ３）に適用されたものである。この遊技盤４０１の構成を簡単に説明すると、遊技盤４０１は成形マット４０２とセル板４１０とを遊技板４０３の表面側に固着したものである。遊技盤４０１の中央部には、振分け役物（クルーン）４３１が配設され、その左右斜め上方には、一対の左ランプ風車４３２ａ，右ランプ風車４３２ｂが配設されている。右ランプ風車４３２ｂの下方には、第三種始動口４３３が配設されている。遊技盤４０１の左右端部には、一対の左サイドランプ４３４ａ，右サイドランプ４３４ｂが配設されている。振分け役物（クルーン）４３１の左下側には、左端入賞口４３５が配設されている。左端入賞口４３５の右下側には左入賞口４３６ａ、その反転位置には右入賞口４３６ｂが各々配設されている。右入賞口４３６ｂの右上側には大入賞装置４３７が配設されている。振分け役物（クルーン）４３１の左上側には球誘導部材４４６、上側には検出されると効果音を発生する振分け役物入球検出ゲート（センサ）４４７、さらにその上側には可変表示装置４３８が各々配設されている。遊技盤４０１の最下部にはアウト口４３９が穿孔されている。遊技盤４０１には球誘導レール４４０が配設されている。アウト口４３９の上側には開閉板４４１ａを有する振分け装置４４１が配設されている。左サイドランプ４３４ａから振分け役物（クルーン）４３１にかけての領域にはピン風車４４５ａ，ピン風車４４５ｂ，ピン風車４４５ｃが配設されている。可変表示装置４３８の上側には上入賞口４４３が配設されている。
【００４１】
図１１に示す通り、成形マット４０２の表面側には多数の固定突起４０４が一体に成形されている。また、上入賞口調整突起４０５は、上入賞口４４３の上側に３本植設されている。振分け役物調整突起４０６は、可変表示装置４３８の左側に４本植設されている。左端入賞口調整突起４０７は、左端入賞口４３５の上側に３本植設されている。振分け装置調整突起４０８は、振分け装置４４１の上側に１４本植設されている。左入賞口調整突起４０９は、左入賞口４３６ａの上側に３本植設されている。右入賞口調整突起４１１は、右入賞口４３６ｂの上側に３本植設されている。第三種始動口調整突起４１２は、第三種始動口４３３の上側に３本植設されている。なお、これらが他の発明１、２、５の調整突起を構成する。
【００４２】
第四実施形態の遊技盤４０１を備えた第三種パチンコ遊技機（タイプ３）の遊技内容を説明する。振分け役物（クルーン）４３１内のクルーン上の複数入球口のうち所定の入球口に遊技球が入球すると、可変表示装置４３８の図柄が変動停止し、停止した図柄が当り図柄であると、振分け装置４４１の開閉板４４１ａが開放する。そして、遊技球が振分け装置４４１内の特別領域に入球すると特別遊技状態となり、その状態において第三種始動口４３３に遊技球が入球すると大入賞装置４３７が開放する。
【００４３】
図１２に示す第五実施形態の遊技盤５０１は、アレンジボール遊技機（タイプ１）に適用されたものである。この遊技盤５０１の構成を簡単に説明すると、遊技盤５０１は成形マット５０２とセル板５１０とを遊技板５０３の表面側に固着したものである。遊技盤５０１の中央上側には、デジタル始動ゲート５３１が配設され、その左右斜め上方には、一対の左ランプ風車５３２ａ，右ランプ風車５３２ｂが配設され、それらの下方には一対の左ランプ風車５３２ｃ，右ランプ風車５３２ｄが各々配設されている。デジタル始動ゲート５３１の下方には、デジタル表示器５３３が配設されている。遊技盤５０１の左右端部には、一対の左サイドランプ５３４ａ，右サイドランプ５３４ｂが配設されている。デジタル始動ゲート５３１の上側には、始動入賞装置５３５が配設されている。右サイドランプ５３４ｂの左側は入球口５３６が配設され、その下側には得点増加装置５３７が配設されている。デジタル表示器５３３の下側には可変表示装置５３８が配設されている。遊技盤５０１の最下方には１６連入球装置（１６連表示装置付）５３９が配設されている。遊技盤５０１には球誘導レール５４０が配設されている。左サイドランプ５３４ａの右側には振分け装置５４１が配設されている。入球口５３６の上側には得点増加装置始動ゲート５４３が配設されている。１６連入球装置（１６連表示装置付）５３９の上側には振分け役物５４８が配設されている。
【００４４】
図１２に示す通り、成形マット５０２の表面側には多数の固定突起５０４が一体に成形されている。また、デジタル始動ゲート調整突起５０５は、デジタル始動ゲート５３１の上側に２本植設されている。得点増加装置始動ゲート調整突起５０６は、得点増加装置始動ゲート５４３の上側に３本植設されている。入球口調整突起５０７は、入球口５３６の上側に３本植設されている。なお、これらが他の発明１、２、５の調整突起を構成する。
【００４５】
第五実施形態の遊技盤５０１を備えたアレンジボール遊技機（タイプ１）の遊技内容を説明する。デジタル始動ゲート５３１を遊技球が通過すると、デジタル表示器５３３の図柄が変動停止し、停止した図柄が当り図柄であった場合に始動入賞装置５３５が開放する。この始動入賞装置５３５に遊技球が入球すると入球した遊技球は振分け装置５４１まで誘導されて保留され、遊技球が保留された時点で可変表示装置５３８の図柄が変動停止し、停止した図柄が当り図柄であれば保留されている遊技球は特別領域に導かれる。一方、停止した図柄が外れ図柄であった場合には普通領域に導かれる。そして、遊技球が特別領域に入球すると特別遊技状態となり、その状態で得点増加装置始動ゲート５４３を遊技球が通過すると得点増加装置５３７が開放する。
【００４６】
図１３に示す第六実施形態の遊技盤６０１は、アレンジボール遊技機（タイプ２）に適用されたものである。この遊技盤６０１の構成を簡単に説明すると、遊技盤６０１は成形マット６０２とセル板６１０とを遊技板６０３の表面側に固着したものである。遊技盤６０１の上側左右には、一対の左ランプ風車６３２ａ，右ランプ風車６３２ｂが配設されている。遊技盤６０１の中央には、上部に天入賞口６３３を備えた可変表示装置６３８が配設されている。遊技盤６０１の左右端部には、一対の左サイドランプ６３４ａ，右サイドランプ６３４ｂが配設されている。可変表示装置６３８の下側左右には、各々、左始動ゲート６３５ａ，右始動ゲート６３５ｂが配設されている。それらの中央部に入球口６３６が配設されている。遊技盤６０１の下方には１６連入球装置（１６連表示装置付）６３９が配設されている。遊技盤６０１には球誘導レール６４０が配設されている。可変表示装置６３８の左側には入球装置６４４を備えた振分け装置６４１が配設されている。得点増加装置６３７の上側には得点増加装置始動ゲート６４３が配設されている。
【００４７】
図１３に示す通り、成形マット６０２の表面側には多数の固定突起６０４が一体に成形されている。また、天入賞口調整突起６０５は、天入賞口６３３の上側に２本植設されている。得点増加装置始動ゲート調整突起６０６は、得点増加装置始動ゲート６４３の上側に３本植設されている。左始動ゲート調整突起６０８および右始動ゲート調整突起６０９は、各々、左始動ゲート６３５ａおよび右始動ゲート６３５ｂの上側に、各々、２本植設されている。入球口調整突起６０７は、入球口６３６の上側に３本植設されている。なお、これらが他の発明１、２、５の調整突起を構成する。
【００４８】
第六実施形態の遊技盤６０１を備えたアレンジボール遊技機（タイプ２）の遊技内容を説明する。遊技球が左始動ゲート６３５ａ或いは始動ゲート６３５ｂを通過すると、可変表示装置６３８の図柄が変動停止し、停止した図柄が当り図柄であった場合に入球装置６４４が開放する。入球装置６４４に入球した遊技球はその下方の振分け装置６４１に導かれ、振分け装置６４１内に入球した遊技球が振分け装置６４１内の特別領域に入球すれば特別遊技状態となる。そして、特別遊技状態中に遊技球が得点増加装置始動ゲート６４３を通過すれば得点増加装置６３７が開放する。
【００４９】
なお、前述した第二実施形態ないし第六実施形態の各機種の各タイプは一例であり、他の異なる機種やタイプにも適用できる。前述した各機種のゲーム内容は簡単に説明したが、詳細は省略する。さらに、第二実施形態ないし第六実施形態は成形マットを採用したタイプ（具体例１に対応）のものであるが、これに代えて、成形マットを採用しない遊技板一体タイプ（具体例２に対応）にも適用できることは無論である。
【００５０】
次に第七実施形態である、パチンコ遊技機の遊技盤の製造方法の具体例１ないし３について説明する。ここでは、前述の第一実施形態で述べた具体例１、具体例２およびそれらの変形例（全部で４タイプ）に対応する具体例１および２（変形例を含む）と、バブルジェットで装飾を印刷する具体例３について説明する。第二実施形態ないし第六実施形態（図９ないし図１３参照）に適用される遊技盤の製造方法は、第七実施形態の遊技盤の製造方法に準拠するので、ここでは説明は省略する。
【００５１】
第七実施形態の具体例１の遊技盤の製造方法を図１４および図１５（ａ）（ｂ）を参照して説明する。これは第一実施形態の遊技盤１（図１ないし図３参照）の製造方法である。まず遊技盤１とほぼ同形状のセル板１０をプラスチック成形しその表面に装飾（デザイン画）を印刷する（工程Ｐ１）。セル板１０に調整釘打ち込み穴（図示略）および役物取り付け穴（図示略）をプレス穴あけ機で貫設する（工程Ｐ２）。図１５（ａ）の点線に示す通り、成形マット成形型６２ｂの調整突起挿入穴６５に天入賞口調整突起５ないし始動入賞装置調整突起９を挿入する（工程Ｐ３）。このとき、それらの上端部は、調整突起挿入穴６５から上方に突出している。図１５（ａ）に示す通り、固定ピン挿入穴６８に固定ピン６３を嵌合させ、成形マット成形型６２ｂに成形マット成形型６２ａを嵌合させ、射出ノズル９２から硬質ゴム（プラスチックでも良い）を射出し、成形マット成形型６２ａおよび成形マット成形型６２ｂを離型させ、図２に示す成形マット２を取り出す（工程Ｐ４）。この工程Ｐ３およびＰ４の特徴は、固定突起４の成形と同時に、天入賞口調整突起５ないし始動入賞装置調整突起９および固定ピン６３のインサート成形とを実施するものである。すなわち、この工程Ｐ４において使用される成形マット成形型６２ｂには、調整突起挿入穴６５、固定突起形成穴６７が設けられ、成形マット成形型６２ａには、固定ピン挿入穴６８が設けられている。天入賞口調整突起５ないし始動入賞装置調整突起９および固定ピン６３には、抜け止めとして、根元に頭部が設けられている。前述の調整突起挿入穴６５に挿入される天入賞口調整突起５ないし始動入賞装置調整突起９の長さは、調整突起挿入穴６５よりは長く、成形マット２の裏側に突出しない長さに設定してある。これは、成形マット２を遊技板３にプレス機（図示略）で圧着する際、天入賞口調整突起５ないし始動入賞装置調整突起９に支障をもたらさないようにするためである。固定ピン挿入穴６８，６８ａは、成形マット２の裏面の４辺端部近辺の適宜個所に４箇所程度設けられている。なお、天入賞口調整突起５ないし始動入賞装置調整突起９および固定ピン６３は、金属製が好ましく、特に真鍮製が好ましい。これは天入賞口調整突起５ないし始動入賞装置調整突起９は叩打して位置調整をするため、ある程度の強度や柔軟性が必要だからであり、固定ピン６３は圧着の際に強度が必要だからである。つぎに図１５（ｂ）に示す通り、遊技板成形型７３ｂに遊技板成形型７３ａを嵌合させ、射出ノズル９３からプラスチック（硬質ゴムでも良い）を射出し、遊技板成形型７３ａおよび遊技板成形型７３ｂを離型させ、図３に示す遊技板３を取り出す（工程Ｐ５）。成形マット２の裏側を遊技板３の嵌合凹面３０表面側にプレス機（図示略）にて、固定ピン６３を用いて圧着させる（工程Ｐ６）。この工程Ｐ６において、圧着の他の態様として、接着剤を用いて接着させる方法も挙げられる。この方法の場合には、図１５（ａ）に示す固定ピン挿入穴６８，６８ａは不要であり、固定ピン６３も上半部がカットされる。成形マット２の表面側にセル板１０を接着剤を用いて圧着機で圧着させる（工程Ｐ７）。最後にセンター役物３１等の役物、球誘導レール４０等を取付ける（工程Ｐ８）。なお、セル板１０を成形マット２と同形状とし、セル板１０を成形マット２のみに接着しても良い。以上の第七実施形態の具体例１によれば、前述した第一実施形態の具体例１と同様の効果がある。
【００５２】
第七実施形態の具体例１の遊技盤の製造方法の変形例を図１６および図１７（ａ）（ｂ）を参照して説明する。これは第一実施形態の遊技板３’（図４参照）を備えた遊技盤１’（図１参照）の製造方法である。これは、後工程において天入賞口調整釘５’ないし始動入賞装置調整釘９’を植設することに特徴がある（図５参照）。まず工程Ｐ１０およびＰ２０を行う。これは前述の工程Ｐ１およびＰ２（図１４参照）と同様であるから説明は省略する。図４に示す成形マット２’を樹脂成形する（工程Ｐ３０）。これは前述の具体例１の工程Ｐ３およびＰ４（図１４参照）と同様であるものの、天入賞口調整突起５ないし始動入賞装置調整突起９がインサート成形されないことが異なっている。したがって、図１７（ａ）に示す遊技板成形型６２ｂ’は、図１５の遊技板成形型６２ｂと同様の構造であるが、調整突起挿入穴６５（図１５参照）に対応するものが無く、これに代えて天入賞口調整釘打込穴２５’ないし始動入賞装置調整釘打込穴２９’（図４参照）を形成するための凸部６５’が形成されている。工程Ｐ５０およびＰ６０は、各々、前述の具体例の工程Ｐ６およびＰ７（図１４参照）と同様であるから説明は省略する。次に、図５に示す通り、天入賞口調整釘５’ないし始動入賞装置調整釘９’を、セル板１０’の調整釘打ち込み穴（図示略）や、成形マット２’の天入賞口調整釘打込穴２５’ないし始動入賞装置調整釘打込穴２９’を介在させて、遊技板３に打込むことで植設する。ここでは、釘打ち機、手釘打ちを問わない（工程Ｐ７０）。最後に工程Ｐ８（図１４参照）と同様に役物等を取付ける（工程Ｐ８０）。以上の第七実施形態の具体例１の変形例によれば、前述した第一実施形態の具体例１の変形例と同様の効果がある。なお、図１７（ａ）（ｂ）において、図１５（ａ）（ｂ）に対応する構成部品にはダッシュを付して説明は省略する。
【００５３】
第七実施形態の具体例２の遊技盤の製造方法を図１８および図１９を参照して説明する。これは第一実施形態の具体例２の遊技板１０３（図６参照）を備えた遊技盤１０１（図１参照）の製造方法である。これは、図２に示す成形マット２の成形を不要としたものである（成形マット成形型６２ａ，６２ｂも不要）。まず工程Ｐ１１０およびＰ１２０を行う。これは前述の工程Ｐ１およびＰ２（図１４参照）と同様であるから説明は省略する。図１９に示す遊技板成形型１７３ｂの調整突起挿入穴１６５に天入賞口調整突起１０５ないし始動入賞装置調整突起１０９を挿入する（工程Ｐ１３０）。ここでは固定ピン挿入穴と固定ピンは必要ない。遊技板成形型１７３ａおよび遊技板成形型１７３ｂを嵌合させ、射出ノズル１９３から樹脂（プラスチックが好適であるがゴムでも構わない）を射出する（工程Ｐ１４０）。工程Ｐ１３０およびＰ１４０は、各々前述の具体例１の工程Ｐ３ないしＰ５（図１４参照）と対応するが、成形マット２および遊技板３に代えて、遊技板１０３を成形している。要するに、４つの工程Ｐ３ないしＰ６（図１４参照）を２つの工程Ｐ１３０およびＰ１４０に集約し工程を簡素化したものである。工程Ｐ１５０およびＰ１６０は、各々、前述の具体例１の工程Ｐ７およびＰ８（図１４参照）と同様であるから説明は省略する。以上の第七実施形態の具体例２によれば、前述した第一実施形態の具体例２と同様の効果がある。なお、図１９において、図１５（ａ）（ｂ）に対応する構成部品には１００番台とし説明は省略する。
【００５４】
第七実施形態の具体例２の遊技盤の製造方法の変形例を図２０を参照して説明する。これは第一実施形態の遊技板１０３’（図７および図８参照）を備えた遊技盤１０１’（図１参照）の製造方法である。これは、具体例２と異なり、後工程において天入賞口調整釘１０５’ないし始動入賞装置調整釘１０９’（図８参照）を植設することに特徴がある。まず工程Ｐ２１０およびＰ２２０を行う。これは前述の工程Ｐ１１０およびＰ１２０（図１８参照）と同様であるから説明は省略する。図７に示す遊技板１０３’を樹脂成形する（工程Ｐ２３０）。これは前述の具体例２の工程Ｐ１３０およびＰ１４０（図１８参照）と同様であるが、ここでは調整突起を挿入しないことが異なる。工程Ｐ２４０は、工程Ｐ１５０に対応するものである。図８に示す通り、調整釘１０５’ないし１９０’を打込む（工程Ｐ２５０）。工程Ｐ２６０は、工程Ｐ１６０に対応するものである。以上の第七実施形態の具体例２の変形例によれば、前述した第一実施形態の具体例２の変形例と同様の効果がある。
【００５５】
第七実施形態の具体例３の遊技盤の製造方法を図２１を参照して説明する。この具体例３は、セル板に代えて、装飾をバブルジェット印刷で直接遊技盤に印刷するものである。バブルジェット印刷としたのは、遊技盤表面には、凹凸があるので、普通の印刷では難しいと考えたからである。このようにすれば、セル板が必要なくなり、生産工程を簡素化させることができる。成形マットまたは遊技板に直接印刷するものである。工程Ｐ３１０ないしＰ３３０は、各々、工程Ｐ３ないし５（図１４参照）に該当するものである。Ｐ３４０は、工程Ｐ１、Ｐ２、Ｐ７に該当するものであり、３つの工程を１つの工程に集約することができる。工程Ｐ３５０およびＰ３６０は、各々、工程Ｐ６およびＰ８（図１４参照）に対応する。なお、本具体例３は、前述の具体例１に適用されたものであるが、前述の第七実施形態の具体例１の変形例、同具体例２および変形例にも適用できるものである。以上の第七実施形態の具体例３によれば、前述した具体例１、具体例２およびそれらの変形例と同様の効果がある上、装飾工程が簡素化できる効果がある。
【００５６】
以上、本実施形態を説明したが、本発明の技術的思想を逸脱しない範囲において本発明の構成を適宜改変できることは当然であり、このような改変も、本発明の技術的範囲に属するものである。
【００５７】
他の発明１、２、５によれば、固定突起が成形マットに一体成形されているので、植設される調整突起の本数を減らすことができ、生産工程を簡素化することができる。作業速度も向上するので、釘打機等の設備が少なくて済み、コスト上の利益が大きい。パチンコ遊技機の機種ごとに固定突起を標準化（共通化）することができ、設計作業や製造工程の簡素化を図ることができる。しかも、固定突起が標準化される一方、調整突起を設けたことにより、入球率の調整機能を損なうことが無いという優れた効果がある。従来の金属製の釘に比べ美観が向上する。特に固定突起を着色材料を使用して成形すれば、多彩な色彩感覚を提供でき、美観が著しく向上する。
【００５８】
他の発明３、４、６も前記と同様な効果がある。
【００５９】
他の発明７および８により、遊技装置等の変更にも対処できる効果がある。
【図面の簡単な説明】
【００６０】
【図１】本発明の第一実施形態の具体例１の遊技盤の正面図である。
【図２】本発明の第一実施形態の具体例１の成形マットの斜視図である。
【図３】本発明の第一実施形態の具体例１の遊技板の斜視図である。
【図４】本発明の第一実施形態の具体例１の成形マットの変形例の斜視図である。
【図５】同成形マットの変形例とセル板と調整釘との関係を示す分解斜視図である。
【図６】本発明の第一実施形態の具体例２の遊技板の斜視図である。
【図７】同具体例２の遊技板の変形例の斜視図である。
【図８】同遊技板の変形例とセル板と調整釘との関係を示す分解斜視図である。
【図９】本発明の第二実施形態の遊技盤の正面図である。
【図１０】本発明の第三実施形態の遊技盤の正面図である。
【図１１】本発明の第四実施形態の遊技盤の正面図である。
【図１２】本発明の第五実施形態の遊技盤の正面図である。
【図１３】本発明の第六実施形態の遊技盤の正面図である。
【図１４】本発明の第七実施形態の具体例１の遊技盤の製造方法の工程図である。
【図１５】（ａ）は同具体例１の成形マット成形型の中央縦断面図で、（ｂ）は同具体例１の遊技板成形型の中央縦断面図である。
【図１６】本発明の第七実施形態の具体例１の遊技盤の製造方法の変形例の工程図である。
【図１７】（ａ）は同具体例１の変形例の成形マット成形型の中央縦断面図で、（ｂ）は同変形例の遊技板成形型の中央縦断面図である。
【図１８】本発明の第七実施形態の具体例２の遊技盤の製造方法の工程図である。
【図１９】同具体例２の遊技板成形型の中央縦断面図である。
【図２０】本発明の第七実施形態の具体例２の遊技盤の製造方法の変形例の工程図である。
【図２１】本発明の第七実施形態の具体例３の遊技盤の製造方法の工程図である。
【符号の説明】
【００６１】
１、１’、１０１、１０１’、２０１、３０１、４０１、５０１、６０１・・・遊技盤
２、２’、２０２、３０２、４０２、５０２、６０２・・・成形マット
３、３’、１０３、１０３’、２０３、３０３、４０３、５０３、６０３・・・遊技板
４、４’、１０４、１０４’、２０４、３０４、４０４、５０４、６０４・・・固定突起
５、１０５・・・天入賞口調整突起
６、１０６・・・ワープ入口調整突起
７、１０７・・・左入賞口調整突起
８、１０８・・・右入賞口調整突起
９、１０９・・・始動入賞装置調整突起
５’、１０５’・・・天入賞口調整釘（調整突起）
６’、１０６’・・・ワープ入口調整釘（調整突起）
７’、１０７’・・・左入賞口調整釘（調整突起）
８’、１０８’・・・右入賞口調整釘（調整突起）
９’、１０９’・・・始動入賞装置調整釘（調整突起）
２０５・・・始動入賞装置調整突起，２０６…開放ゲート調整突起
２０７・・・入球口調整突起
２０８・・・左入球口調整突起
２０９・・・中入球口調整突起
２１１・・・右入球口調整突起
３０５・・・天入賞口調整突起
３０６・・・左上入球口調整突起
３０７・・・左下入球口調整突起
３０８・・・左入球口調整突起
３０９・・・始動口調整突起
３１１・・・右入球口調整突起
３５５、３５６・・・第三種始動口調整突起
３５７・・・振分け装置調整突起
４０５・・・上入賞口調整突起
４０６・・・振分け役物調整突起
４０７・・・左端入賞口調整突起
４０８・・・振分け装置調整突起
４０９・・・左入賞口調整突起
４１１・・・右入賞口調整突起
４１２・・・第三種始動口調整突起
５０５・・・デジタル始動ゲート調整突起
５０６・・・得点増加装置始動ゲート調整突起
５０７・・・入球口調整突起
６０５・・・天入賞口調整突起
６０６・・・得点増加装置始動ゲート調整突起
６０７・・・入球口調整突起
６０８・・・左始動ゲート調整突起
６０９・・・右始動ゲート調整突起
【図１】
2008168140.tif 000003
【図２】
2008168140.tif 000004
【図３】
2008168140.tif 000005
【図４】
2008168140.tif 000006
【図５】
2008168140.tif 000007
【図６】
2008168140.tif 000008
【図７】
2008168140.tif 000009
【図８】
2008168140.tif 000010
【図９】
2008168140.tif 000011
【図１０】
2008168140.tif 000012
【図１１】
2008168140.tif 000013
【図１２】
2008168140.tif 000014
【図１３】
2008168140.tif 000015
【図１４】
2008168140.tif 000016
【図１５】
2008168140.tif 000017
【図１６】
2008168140.tif 000018
【図１７】
2008168140.tif 000019
【図１８】
2008168140.tif 000020
【図１９】
2008168140.tif 000021
【図２０】
2008168140.tif 000022
【図２１】
2008168140.tif 000023